(57)【特許請求の範囲】
【請求項１】
挿入孔および係止部が設けられた中空筒形の雌部材と、取付機構を構成する孔が設けられた鍔部の前面の両端部に、前記係止部に係合する係合部が先端に設けられ、前記挿入孔へ挿入される弾性片を対向させて設けた雄部材とからなるバックルにおいて、
前記鍔部の前面の両端部に、前記鍔部と連結される前記弾性片の根本部分と、この根本部分と前記孔との間に位置する凹部とを設け、この凹部と前記孔とを長さ方向でオーバーラップさせるとともに、前記鍔部と前記弾性片とを長さ方向でオーバーラップさせた、
ことを特徴とするバックル。
【発明の詳細な説明】
【０００１】
【発明の属する技術分野】
この発明は、例えばベルトやストラッパなどの両端を相互に連結する分離可能な雌部材と雄部材とからなるバックルに関するものである。
【０００２】
【従来の技術】
従来の上記したバックルは、挿入孔および係止部が設けられた中空筒形の雌部材と、鍔部の前面の両端部に、雌部材の係止部に係合する係合部が先端に設けられた雌部材の挿入孔へ挿入される弾性片を対向させて設けた雄部材とで構成されている。
上記した雌部材を構成する扁平な中空筒は、前面を開放させて挿入孔が設けられ、上下壁に開口を形成して係止部が設けられるとともに、後端に、例えばベルトの端部を取り付けたり、固定する取付機構が設けられている。
また、雄部材の鍔部にも、ベルトの端部を取り付けたり、固定する取付機構が設けられている。
そして、弾性片は、鍔部の前面に起立させて設けられている。
【０００３】
次に、バックルの着脱について説明する。
まず、取付機構を利用してベルトの両端部を雌部材および雄部材に取り付け、雄部材の係合部を雌部材の中空筒内へ、すなわち挿入孔へ挿入すると、各係合部が中空筒の上下壁の内側に衝合することにより、各弾性片が内側へ撓むので、弾性片を中空筒内へ挿入することができる。
そして、鍔部が中空筒に衝合する状態まで係合部および弾性片を中空筒内へ挿入すると、各係合部が開口と対向するので、弾性片の付勢力で各係合部が各開口内へ突入し、開口を形成する前側縁である係止部に係合し、雌部材と雄部材とは結合される。
【０００４】
また、雌部材と雄部材とを分離させる場合は、各開口部分に指を宛って各係合部を押して弾性片を撓ませることにより、各係合部の係止部との係合を解除させた状態のままで雌部材と雄部材とを相対的に離れる方向へ移動させることにより、雌部材と雄部材とを分離させることができる。
なお、このようなバックルは、例えば特開昭５９−８２８０３号公報に開示されている。
【０００５】
【発明が解決しようとする課題】
従来のバックルの雄部材は、鍔部の前面から弾性片が起立している。
したがって、ベルトの幅が広い場合、雌部材と雄部材とを結合させたバックルの全長が長くても、バックルの幅（縦）と全長（横）とのバランスを保つことができる。
【０００６】
しかし、ベルトの幅が狭くなった場合、弾性片の撓み代を確保しなければならないので、弾性片の長さを短くすることができないため、雌部材と雄部材とを結合させたバックルの全長を短くすることができず、幅（縦）と全長（横）とのバランスが崩れ、横長のバックルになってしまうという不都合があった。
【０００７】
この発明は、上記したような不都合を解消するためになされたもので、ベルトなどの幅が狭くなった場合、弾性片の長さおよび撓み代を確保しつつ雄部材の全長を短くすることにより、雌部材と雄部材とを結合させた全長が横長にならないようにすることのできるバックルを提供するものである。
【０００８】
【課題を解決するための手段】
この発明は、挿入孔および係止部が設けられた中空筒形の雌部材と、取付機構を構成する孔が設けられた鍔部の前面の両端部に、係止部に係合する係合部が先端に設けられ、挿入孔へ挿入される弾性片を対向させて設けた雄部材とからなるバックルにおいて、鍔部の前面の両端部に、鍔部と連結される弾性片の根本部分と、この根本部分と前記孔との間に位置する凹部とを設け、この凹部と孔とを長さ方向でオーバーラップさせるとともに、鍔部と弾性片とを長さ方向でオーバーラップさせたものである。
【０００９】
【発明の実施の形態】
以下、この発明の実施形態を図に基づいて説明する。
図１はこの発明の一実施形態であるバックルを構成する雌部材の正面図、図２は図１に示した雌部材の底面図、図３は図１のＡ−Ａ線による断面図、図４は図２のＢ−Ｂ線による断面図である。
図１〜図４において、１はプラスチックで成形された雌部材を示し、扁平な中空筒２と、この中空筒２の後端に上下に差し渡されて連設された平板部８とで構成されている。
【００１０】
上記した中空筒２は、前面から後端まで開放させて挿入孔３が設けられ、上下壁に開口４が設けられて開口４の前側縁が係止部５とされている。
そして、中空筒２の前壁内側に２条のガイドリブ６が連設されるとともに、中空筒２の後ろ壁内側に、ガイドリブ６に対応させて２条のガイドリブ７が連設され、ガイドリブ６，７は後端で連結されてストッパを構成している。
なお、中空筒２と平板部８との間に、ベルトを挿通するための孔９が形成され、平板部８と孔９とによってベルトを取り付ける取付機構が構成されている。
そして、雌部材１は、上下対称に構成されている。
【００１１】
図５はこの発明の一実施形態であるバックルを構成する雄部材の正面図、図６は図５に示した雄部材の底面図、図７は図５のＣ−Ｃ線による断面図、図８は雌部材に雄部材を結合させた状態の雌部材の上側半分を断面とした正面図である。
図５〜図８において、１１はプラスチックで成形された雄部材を示し、鍔部１２と、この鍔部１２の前面１２ｆの両端部に前方へ延びるように連設された中空筒２の挿入孔３へ挿入される弾性片１５と、鍔部１２の前面１２ｆの中心に前方へ延びるように連設された中空筒２の挿入孔３へ挿入される被ガイド部１８とで構成されている。
【００１２】
上記した鍔部１２には前後へ貫通する孔１３が設けられるとともに、この孔１３を左右に分割するように軸１４が設けられている。
この孔１３と軸１４とによってベルトを取り付けたり、固定する取付機構が構成されている。
また、各弾性片１５の先端には、外側後端が中空筒２の係止部５に係合する係合部１６が連設されている。
そして、各弾性片１５は、鍔部１２の前面１２ｆの両端部分に設けた凹部１７の外側に設けられ、鍔部１２と長さ方向でオーバーラップしている。
【００１３】
上記した被ガイド部１８は、中空筒２のガイドリブ６，７で案内されて前後動するものである。
そして、被ガイド部１８の先端の上下には、鍔部１２が中空筒２に衝合する状態でストッパ（ガイドリブ６，７）に先端が衝合する衝合部１９が連設されている。
なお、雄部材１１は、上下対称に構成されている。
【００１４】
次に、バックルの着脱について説明する。
まず、取付機構を利用してベルトの両端部を雌部材１および雄部材１１に取り付け、雄部材１１の係合部１６を雌部材１の中空筒２内へ、すなわち挿入孔３へ挿入すると、各係合部１６が中空筒２の上下壁の内側に衝合することにより、各弾性片１５が内側へ撓むので、係合部１６および弾性片１５を中空筒２内へ挿入することができる。
【００１５】
そして、鍔部１２が中空筒２に衝合する状態、すなわち図８に示す状態まで係合部１６および弾性片１５を中空筒２内へ挿入すると、図８に二点鎖線で示すように、各係合部１６が各開口４と対向するので、図８に実線で示すように、弾性片１５の付勢力で各係合部１６が対応する開口４内へ突入して係止部５に係合することにより、雌部材１から雄部材１１が抜けないように雌部材１と雄部材１１とは結合される。
【００１６】
また、雌部材１と雄部材１１とを分離させる場合は、各開口４部分に指を宛って各係合部１６を押して弾性片１５を撓ませることにより、各係合部１６の対応する係止部５との係合を解除させた状態のままで雌部材１と雄部材１１とを相対的に離れる方向へ移動させることにより、雌部材１と雄部材１１とを分離させることができる。
【００１７】
図９はこの発明の一実施形態の雄部材と、従来例の雄部材との長さを比較するための説明図である。
なお、下側がこの発明の一実施形態の雄部材であり、上側が従来例の雄部材である。
そして、従来例の雄部材にも、この発明の一実施形態における雄部材と同一の符号が付してある。
【００１８】
図９において、ａは係合部１６を後退させるために必要な弾性片１５の長さ、ｂは鍔部１２と弾性片１５が長さ方向でオーバーラップするオーバーラップ長を示す。
【００１９】
上述したように、この発明の一実施形態によれば、鍔部１２の前面１２ｆの両端部に、鍔部１２と連結される弾性片１５の根本部分と、この根本部分と孔１３との間に位置する凹部１７とを設けることにより、図９に示すように、凹部１７と孔１３とを長さ方向でオーバーラップさせるとともに、鍔部１２と弾性片１５とを長さ方向でオーバーラップさせたので、鍔部１２と弾性片１５とがオーバーラップするオーバーラップ長ｂだけ雄部材１１の長さを短くすることができ、結合状態におけるバックルの長さを短くすることができる。
【００２０】
したがって、ベルトの幅が狭くなった場合、弾性片１５の長さおよび撓み代を確保しつつ雄部材１１の全長を短くすることにより、雌部材１と雄部材１１とを結合させた全長が横長にならないようにすることができ、バックルの幅（縦）と全長（横）とのバランスを保つことができる。
なお、凹部１７の深さを深くすればする程、オーバーラップ長ｂを長くすることができ、雄部材１１およびバックルの全長を短くすることができる。
【００２１】
【発明の効果】
以上のように、この発明によれば、鍔部の前面の両端部に、鍔部と連結される弾性片の根本部分と、この根本部分と孔との間に位置する凹部とを設けることにより、凹部と孔とを長さ方向でオーバーラップさせるとともに、鍔部と弾性片とを長さ方向でオーバーラップさせたので、鍔部と弾性片とがオーバーラップするオーバーラップ長だけ雄部材の長さを短くすることができ、結合状態におけるバックルの長さを短くすることができる。
したがって、例えばベルトの幅が狭くなった場合、弾性片の長さおよび撓み代を確保しつつ雄部材の全長を短くすることにより、雌部材と雄部材とを結合させた全長が横長にならないようにすることができ、バックルの幅（縦）と全長（横）とのバランスを保つことができる。
【図面の簡単な説明】
【図１】この発明の一実施形態であるバックルを構成する雌部材の正面図である。
【図２】図１に示した雌部材の底面図である。
【図３】図１のＡ−Ａ線による断面図である。
【図４】図２のＢ−Ｂ線による断面図である。
【図５】この発明の一実施形態であるバックルを構成する雄部材の正面図である。
【図６】図５に示した雄部材の底面図である。
【図７】図５のＣ−Ｃ線による断面図である。
【図８】雌部材に雄部材を結合させた状態の雌部材の上側半分を断面とした正面図である。
【図９】この発明の一実施形態の雄部材と、従来例の雄部材との長さを比較するための説明図である。
【符号の説明】
１      雌部材
２      中空筒
３      挿入孔
４      開口
５      係止部
６，７  ガイドリブ
８      平板部
９      孔
１１    雄部材
１２    鍔部
１２ｆ  前面
１３    孔
１４    軸
１５    弾性片
１６    係合部
１７    凹部
１８    被ガイド部
１９    衝合部
【図１】
0004166875.tif 000002
【図２】
0004166875.tif 000003
【図３】
0004166875.tif 000004
【図４】
0004166875.tif 000005
【図５】
0004166875.tif 000006
【図６】
0004166875.tif 000007
【図７】
0004166875.tif 000008
【図８】
0004166875.tif 000009
【図９】
0004166875.tif 000010